(57)【要約】【課題】廃棄時に手を汚さず衛生的に廃棄することができるペット用吸収体を提供すること。【解決手段】本発明のペット用吸収体１は、植物由来の素材の粉砕物からなる板状の尿吸収マット２と、該尿吸収マットを被覆する液不透過性の材料からなる被覆材３とからなる板状のペット用吸収体であり、被覆材３は、ペット用吸収体の一方の面３１に、液透過のための複数の開口部３２を有し、ペット用吸収体の他方の面３３には、開口部を有していない。【選択図】図１
2015029495.tif 000002
【特許請求の範囲】
【請求項１】
植物由来の素材の粉砕物からなる板状の尿吸収マットと、該尿吸収マットを被覆する液不透過性の材料からなる被覆材とからなる板状のペット用吸収体であって、
前記被覆材は、ペット用吸収体の一方の面に、液透過のための複数の開口部を有し、該ペット用吸収体の他方の面には、開口部を有していない、ペット用吸収体。
【請求項２】
前記被覆材は、ペット用吸収体の前記一方の面に、前記開口部が分散配置された開口領域を有し、該開口領域における開口部の面積率が３０％以上である、請求項１に記載のペット用吸収体。
【請求項３】
前記開口領域の外方には、前記尿吸収マットの周縁端から内方に向かって延在する前記被覆材からなる所定幅の領域が形成されている請求項２に記載のペット用吸収体。
【請求項４】
前記被覆材は、ペット用吸収体の前記一方の面を形成する部分が、接触角が６０°以上の撥水性の材料からなる、請求項１又は２に記載のペット用吸収体。
【請求項５】
植物由来の素材の粉砕物からなる板状の尿吸収マットと、該尿吸収マットを被覆する液不透過性の材料からなる被覆材とからなる板状のペット用吸収体であって、
前記被覆材に、ペット用吸収体の一方の面に、前記尿吸収マット上に開口する開口部を形成するための開封手段が設けられている、ペット用吸収体。
【請求項６】
前記開封手段は、ペット用吸収体の前記一方の面に、前記尿吸収マットの平面積の５０％以上の面積の開口部を生じ、前記尿吸収マットの周縁端から内方に向かって延在する前記被覆材からなる所定幅の領域が形成されるように設けられている、請求項５に記載のペット用吸収体。
【請求項７】
前記尿吸収マットは、植物由来の素材の粉砕物を７０重量％以上含み、厚みが３ｍｍ以上５０ｍｍ以下で、密度が０．２ｇ／ｃｍ3以上０．４ｇ／ｃｍ3以下である、請求項１〜６の何れか１項に記載のペット用吸収体。
【請求項８】
トイレ本体、及び該トイレ本体を上層部分と下層部分とに区画する仕切部材を備え、該上層部分に便床を形成する粒状物を収容すると共に該下層部分に尿吸収体を収容して使用されるペット用トイレの前記尿吸収体として用いられる、請求項１〜７の何れか１項に記載のペット用吸収体。
【請求項９】
トイレ本体、及び該トイレ本体を上層部分と下層部分とに区画する仕切部材を備え、該上層部分に便床を形成する粒状物を収容すると共に該下層部分に尿吸収体を収容してなるペット用トイレであって、
前記トレーに、前記尿吸収体として、請求項１〜７の何れか１項に記載のペット用吸収体が、前記開口部を有する面側又は前記開封手段により開口部を形成した面側を、前記仕切部材側に向けて収容したペット用トイレ。
【発明の詳細な説明】
【技術分野】
【０００１】
本発明は、猫や犬等のペットの排泄物の処理に用いられるペット用吸収体に関する。
【背景技術】
【０００２】
犬や猫等のペットの排泄物を処理するためのペット用トイレとして、トイレ本体を簀の子等の液透過性構造を有する仕切部材により上下に区画して、上層部分に例えば猫砂やトイレ砂等の便床を形成する粒状物を収容し、下層部分に例えば吸水性樹脂、植物性繊維、パルプ等からなる尿吸収マット等の尿吸収体を収容して使用するものが知られている（例えば特許文献１，２，３参照）。
これらのペット用トイレは、上層部分に収容された粒状物が、ペットが排泄する尿を素早く通過させ、通過した尿を簀の子の通液孔等を介して下層部分に落下させ、落下した尿を下層部分のトレーに収容された尿吸収体に吸収させるものである。
【０００３】
尿吸収体の一つの形態として、液不透過性のバックシートと液透過性の不織布との間に吸収体を備えた、いわゆるペットシーツが知られている（特許文献４参照）。これらのシート状吸収体によれば、シート交換時に吸収体に直接触れることなく衛生的に交換ができる。しかし、シート状吸収体は、吸収容量を大きくするために多くの吸収材を必要とするだけでなく、コスト的にも多くの費用を要するといった欠点を有する。
一方、一般的に市販されている尿吸収体のもう一つの形態として、植物由来の素材の粉砕物からなる板状の尿吸収マットがある。この尿吸収マットは、厚手に成形されており、吸収容量も大きく、前記シート状吸収体に備えてある液不透過性のバックシートと液透過性の不織布を備えておらず、コスト的には優位であるが、尿吸収マットの交換時に尿を吸収したマットに触る恐れがあるため、衛生面に課題がある。
【先行技術文献】
【特許文献】
【０００４】
【特許文献１】特開平７−６７４８９号公報
【特許文献２】特開２００３−１８０１８２号公報
【特許文献３】特開２００２−８４９０９号公報
【特許文献４】特開２００５−６６０４号公報
【発明の概要】
【発明が解決しようとする課題】
【０００５】
したがって本発明の課題は、前述した従来技術が有する欠点を解消し得るペット用吸収体を提供することにある。
【課題を解決するための手段】
【０００６】
本発明は、植物由来の素材の粉砕物からなる板状の尿吸収マットと、該尿吸収マットを被覆する液不透過性の材料からなる被覆材とからなる板状のペット用吸収体であって、前記被覆材は、ペット用吸収体の一方の面に、液透過のための複数の開口部を有し、該ペット用吸収体の他方の面には、開口部を有していない、ペット用吸収体を提供するものである。
【０００７】
また、本発明は、植物由来の素材の粉砕物からなる板状の尿吸収マットと、該尿吸収マットを被覆する液不透過性の材料からなる被覆材とからなる板状のペット用吸収体であって、前記被覆材に、ペット用吸収体の一方の面に、前記尿吸収マット上に開口する開口部を形成するための開封手段が設けられている、ペット用吸収体を提供するものである。
【０００８】
また、本発明は、トイレ本体、及び該トイレ本体を上層部分と下層部分とに区画する仕切部材を備え、該上層部分に便床を形成する粒状物を収容すると共に該下層部分に尿吸収体を収容してなるペット用トイレであって、前記トレーに、前記尿吸収体として、請求項１〜６の何れか１項に記載のペット用吸収体が、前記開口部を有する面側又は前記開封手段により開口部を形成した面側を、前記仕切部材側に向けて収容したペット用トイレを提供するものである。
【発明の効果】
【０００９】
本発明のペット用吸収体によれば、廃棄時に手を汚さず衛生的に廃棄することができる。
【図面の簡単な説明】
【００１０】
【図１】図１（ａ）は、本発明のペット用吸収体の第１実施形態を示す斜視図であり、図１（ｂ）は、第１〜第５実施形態のペット用吸収体に含まれている尿吸収マットを示す斜視図である。
【図２】図２は、本発明のペット用吸収体の第２実施形態の使用時に鉛直方向の下方に向けられる面側を示す斜視図である。
【図３】図３は、本発明のペット用吸収体の第３実施形態を示す斜視図である。
【図４】図４は、本発明のペット用吸収体の第４実施形態を示す斜視図である。
【図５】図５（ａ）は、本発明のペット用吸収体の第５実施形態を示す斜視図であり、図５（ｂ）は、図５（ａ）のＩＩＩ−ＩＩＩ線断面図である。
【図６】図６（ａ）は、第５実施形態のペット用吸収体のミシン目を破断して開口部を形成する途中の状態を示す斜視図であり、図６（ｂ）は、開口部が形成された状態を示す斜視図である。
【図７】図７は、本発明の更に他の実施形態を示す図５（ｂ）相当図である。
【発明を実施するための形態】
【００１１】
以下本発明を、その好ましい実施形態に基づき図面を参照しながら説明する。
本発明の第１実施形態のペット用吸収体１Ａは、図１（ａ）及び図１（ｂ）に示すように、植物由来の素材の粉砕物からなる板状の尿吸収マット２と、該尿吸収マット２を被覆する液不透過性の材料からなる被覆材３とからなり、板状の形態を有する。
本発明の第２〜第４実施形態のペット用吸収体１Ｂ〜１Ｄも、第１実施形態と同様に、植物由来の素材の粉砕物からなる板状の尿吸収マット２と、該尿吸収マット２を被覆する液不透過性の材料からなる被覆材３とからなり、板状の形態を有する。
【００１２】
第１実施形態のペット用吸収体１Ａにおける被覆材３は、図１（ａ）に示すように、不透過性の材料である筒状の樹脂フィルムからなり、筒状の樹脂フィルム内に、開放された端部から尿吸収マット２を収容した後、該端部又は両端部をヒートシール、超音波シール、高周波シール等によりシールすることで、尿吸収マット２を、内部に保持した状態に被覆している。ペット用吸収体１Ａには、前記のシールにより、尿吸収マット２の長手方向Ｘの両端それぞれの外方にシール部３４，３４が形成されている。
【００１３】
第２実施形態のペット用吸収体１Ｂにおける被覆材３は、図２に示すように、不透過性の材料である１枚の樹脂フィルムからなり、該樹脂フィルムにおける、尿吸収マット２に巻きつけられて重ねられた両側部３ａ，３ｂ及び尿吸収マット２の長手方向Ｘの両端から延出する部分をシールすることで、尿吸収マット２を、内部に保持した状態に被覆している。ペット用吸収体１Ｂには、前記のシールにより、３か所のシール部３５，３４，３４が形成されている。なお、下方に向けられているペット用吸収体１Ｂの一方の面３１には、図１と同様の開口部３２が形成されている。
【００１４】
第３実施形態のペット用吸収体１Ｃにおける被覆材３は、図３に示すように、不透過性の材料である１枚の樹脂フィルムを２つ折りしたものであり、尿吸収マット２を、２つ折りした樹脂フィルム間に挟んだ状態で３方向をシールすることで、尿吸収マット２を、内部に保持した状態に被覆している。
第４施形態のペット用吸収体１Ｄにおける被覆材３は２枚の樹脂フィルムからなり、尿吸収マット２を２枚の樹脂フィルムに挟んだ状態で４方向をシールすることで、尿吸収マット２を、内部に保持した状態に被覆している。なお、図３及び図４には、第３又は第４実施形態における３方向又は４方向のシールが一筆書様に示されているが、３方向及び４方向のシール方法は必ずしもこれに制限されるものではない。
【００１５】
第１〜第４実施形態のペット用吸収体１Ａ〜１Ｄ（これらを纏めてペット用吸収体１ともいう）における被覆材３は、図１（ａ）、図３及び図４に示すように、それぞれ、ペット用吸収体の厚み方向の一方の面３１、より具体的には、ペット用トイレに使用されたときに鉛直方向の上方に向けられる一方の面３１に、液透過のための複数の開口部３２を有する一方、該ペット用吸収体の厚み方向の他方の面３３には、液透過のための開口部を有していない。
【００１６】
第１〜第４実施形態のペット用吸収体１Ａ〜１Ｄは、トイレ本体、及び該トイレ本体を上層部分と下層部分とに区画する仕切部材を備え、該上層部分に便床を形成する粒状物を収容すると共に該下層部分に尿吸収体を収容して使用されるペット用トイレの前記尿吸収体として好ましく用いられる。このような構成のペット用トイレとしては、特許文献１〜３に記載のものや、本出願人が提案した特開２０１０−２３９９１４号公報に記載のもの等が挙げられる。ペット用トイレについて、特に説明しない点は、例えば、特開２０１０−２３９９１４号公報に記載のものと同様に構成することができる。
【００１７】
第１〜第４実施形態のペット用吸収体１Ａ〜１Ｄは、例えば、上述した構成のペット用トイレに用いたときに、開口部３２を有しない面３３は、ペットの尿で濡れた状態となりにくい。また、開口部３２を有する面３１は、開口部３２の存在によって尿吸収マット２に尿を良好に吸収させることができるとともに、開口部３２以外の部分が、液不透過性の材料からなるため、ペット用吸収体をペット用トイレから取り出すときなどに、吸液した尿吸収マット２に直接手を触れないですむ。そのため、第１〜第４実施形態のペット用吸収体１Ａ〜１Ｄによれば、使用後の廃棄や交換作業を衛生的に行うことができる。
【００１８】
また、第１〜第４実施形態のペット用吸収体１Ａ〜１Ｄにおいては、予め必要な開口部が形成されているため、使用に際して開口部を形成する作業が不要である。また、尿吸収マット２の上下面を被覆する被覆材３を同一の材料から形成することが可能であるため、上下面を別の材料で形成する場合に比して、資材数を減らしたり、製造コストの削減を図ることも可能となる。
【００１９】
ペット用吸収体１における被覆材３は、ペット用吸収体１の前記一方の面３１に、開口部３２が分散配置された開口領域３６を有し、実質的に開口領域３６は、ペット用吸収体における尿吸収マット２の上面に存在する。開口領域３６は、図１に示すように、分散配置された開口部３２の全体を最短距離で囲む線の内側の領域である。尿吸収マット２への吸液可能な十分な広さの開口部３２を確保する観点から、開口領域３６の面積は、ペット用吸収体１を平面視した時の尿吸収マット２の面積に対して５０％以上であり、好ましくは６０％以上であり、更に好ましくは７０％以上である。また、使用後のペット用吸収体１をペット用トイレから取り出す時などに、ペット用吸収体１の周縁部を摘まむことによって、吸液した尿吸収マット２に直接手を触れることなく衛生的に廃棄するためには、尿吸収マット２の周縁部から内方に向かって延在する被覆材３によって形成される所定幅の領域３８の幅は５ｍｍ以上であることが好ましい。また、開口領域３６における開口部の面積率は、３０％以上であることが、尿吸収マット２による液の吸収性を良好に維持することができるため好ましい。開口部の面積率は、より好ましくは、４０％以上であり、更に好ましくは５０％以上である。
ここで、開口領域３６における開口部の面積率（％）は、開口領域３６の面積をＳ，個々の開口部３２の面積の合計をＳ１としたときに、次式により算出される。
開口部の面積率（％）＝（Ｓ１／Ｓ）×１００
【００２０】
また、開口領域３６における開口部３２は、実質的に円形であり、該円の直径は好ましくは１ｍｍ以上、より好ましくは２ｍｍ以上、更に好ましくは３ｍｍ以上であり、好ましくは１０ｍｍ以下、より好ましくは７ｍｍ以下、更に好ましくは５ｍｍ以下であり、例えば、好ましくは１ｍｍ以上１０ｍｍ以下、より好ましくは２ｍｍ以上７ｍｍ以下、更に好ましくは３ｍｍ以上５ｍｍ以下である。
【００２１】
被覆材３を構成する液不透過性の材料は、一般的な包装材料で用いられている安価な材料が好ましく、例えば、合成樹脂からなる樹脂製シート（樹脂フィルム等）が好ましく用いられ、合成樹脂としては、例えば、ポリオレフィン等が好ましい。液不透過性の材料の強度等は、特に限定されるものではないが、高密度ポリエチレンや無延伸ポリプロピレンからなる樹脂製シートは、厚さの割には強度があるので、よりペット用吸収体の製造コストを安価にできる。ただし、尿吸収マットが吸った尿を漏らさないためにもシール性は確保されなければならない。また、被覆材３は、着色などにより半透明や不透明にすることができる。なお、第１、第２及び第４実施形態においては、前記一方の面３１に、開口部３２が千鳥状のパターンで多数形成され、第３実施形態においては、開口部３２が、ペット用吸収体の長手方向及び幅方向にそれぞれ開口部が直列した開口部列が多列に形成されているが、本発明における開口部の配置パターンは、これらのパターンに限定されるものではない。
【００２２】
また、被覆材３は、ペット用吸収体１の前記一方の面３１を形成する部分が、接触角が６０°以上、より好ましくは７０°以上の撥水性の材料からなることが、開口部３２以外の部分に液が滞留しにくくして、該面を触ったときに濡れた感触を感じないことから好ましい。
ここで、接触角は、以下のようにして測定する。
水に対する接触角は、ＪＩＳ  Ｒ３２５７に記載の静滴法に従って測定した。具体的には、３００ｍｍ×１００ｍｍのフィルムサンプルから５点以上測定ポイントをとり、各々の測定ポイントについて水に対する接触角を測定して、５点の平均値をサンプルフィルムの接触角とした。
【００２３】
次に、本発明の第５実施形態のペット用吸収体１Ｅについて説明する。
第５実施形態のペット用吸収体１Ｅは、図５（ａ）及び図５（ｂ）に示すように、植物由来の素材の粉砕物からなる板状の尿吸収マット２と、該尿吸収マット２を被覆する液不透過性の材料からなる被覆材３とからなり、板状の形態を有する。
【００２４】
第５実施形態のペット用吸収体１Ｅは、ペット用吸収体の厚み方向の一方の面３１、より具体的には、ペット用トイレに使用されたときに鉛直方向の上方に向けられる一方の面３１に、開口部３２に代えて、ミシン目４（開封手段）が設けられている点が、第１実施形態と相違し、それ以外の構成は、第１実施形態と同様である。
第５実施形態のペット用吸収体１Ｅによれば、ペット用トイレ等に使用する前に、図６（ａ）及び図６（ｂ）に示すように、被覆材３を、ミシン目４に沿って破断することで、ペット用吸収体の上方に向けられる面３１に、尿吸収マット２上に開口する開口部３７を形成することができる。
【００２５】
第５実施形態のペット用吸収体１Ｅも、トイレ本体、及び該トイレ本体を上層部分と下層部分とに区画する仕切部材を備え、該上層部分に便床を形成する粒状物を収容すると共に該下層部分に尿吸収体を収容して使用されるペット用トイレの前記尿吸収体として好ましく用いられる。
【００２６】
第５実施形態のペット用吸収体１Ｅは、例えば、上述した構成のペット用トイレに用いたときに、開口部３７が形成されない面３３は、ペットの尿で濡れた状態となりにくい。また、開口部３７を有する面３１は、開口部３７の存在によって尿吸収マット２に尿を良好に吸収させることができるとともに、尿吸収マット２の周縁端から内方に向かって延在する液不透過性の材料からなる所定幅の領域３８が形成されるため、ペット用吸収体をペット用トイレから取り出すときなどに、ペット用吸収体１Ｅの周縁部を摘まむことによって、吸液した尿吸収マット２に直接手を触れないこともできる。そのため、第５実施形態のペット用吸収体１Ｅによれば、使用後の廃棄や交換作業を衛生的に行うことができる。
【００２７】
また、第５実施形態のペット用吸収体１Ｅにおいては、使用前まで、尿吸収マット２が個別包装された状態と同様の状態となっているため、使用前まで、尿吸収マットを破損や変質しないように保護することができる。また、必要な枚数を、カバン等に入れて持ち運ぶことも容易である。例えば、ペットを連れての旅行等において、日数に合わせて必要な枚数だけを衛生的に持ち運ぶこともできる。
【００２８】
また、ペット用吸収体１Ｅに、吸液可能な十分な広さの領域を確保する観点から、開封手段による開封によって生じる開口部３７の面積は、ペット用吸収体１の平面積（平面視したときの面積）に対して、好ましくは５０％以上、更に好ましくは６０％以上、特に好ましくは７０％以上である。また、使用後にペット用吸収体１Ｅをペット用トイレから取り出す時などに、ペット用吸収体１の周縁部を摘まむことによって、吸液した尿吸収マット２に直接手を触れることなく衛生的に廃棄するために、尿吸収マット２の周縁部から内方に向かって延在する被覆材３によって形成される所定幅の領域３８の幅は５ｍｍ以上であることが好ましい。
【００２９】
第１〜第５実施形態のペット用吸収体１Ａ〜１Ｅで用いた尿吸収マット２は、それ自体で保形性を有する板状をなしており、ペット用吸収体１Ａ〜１Ｅは、そのような尿吸収マット２を含み、全体としても板状で保形性を有する。そのため、ペット用トイレの下層部分に容易に吸液面積が広い状態で挿入可能である。
【００３０】
尿吸収マット２の構成成分である植物由来の素材としては、木本及び草本の何れを用いることもできる。これらの粉砕物としては、例えば木本の粉砕物（木質又は樹皮の粉砕物）、種子油残査、穀物外皮粉砕物、草本粉砕物などが挙げられる。特に、成形性および消臭効果の点から、木本の粉砕物、特にスギ科、マツ科又はヒノキ科などの針葉樹の粉砕物を用いることが好ましい。
【００３１】
尿吸収マット２は、植物由来の素材の粉砕物７０重量％以上からなり、厚みが３ｍｍ以上５０ｍｍ以下、好ましくは５ｍｍ以上３０ｍｍ以下、更に好ましくは９ｍｍ以上２０ｍｍ以下になるように板状に成形された成形物からなり、吸水しても崩壊しない程度の十分な保形性を有するものであることが好ましい。尿吸収マット２は、好ましくはペットである猫の尿を吸収するための吸収体であり、設定した使用期間に応じて、吸収量を変化させることが好ましい。吸収量の設定は、用いる植物性由来の素材の粉砕物の量と厚みの設定により行うことができる。好ましい粉砕物の密度は、０．２ｇ／ｃｍ3から０．４ｇ／ｃｍ3の範囲であり、尿の吸収速度と尿の保持性を両立する範囲にすることが必要である。他に吸水性樹脂等を混ぜることで吸収量を維持しながら厚みを薄くすることが可能であるが、入れすぎると成形性と尿吸収後の形態を維持することが難しくなる。吸水性樹脂の混合は、植物由来の素材の粉砕物の２０重量％以下が好ましい。
また、使用される猫の大きさや容器の大きさ、あるいは複数頭で使用する場合に大きな吸収量を必要とする場合には、尿吸収マット２の厚みを大きくすることで対応できるが、複数枚の尿吸収マットを用いることもできる。図７には、その一例として２枚の尿吸収マット２Ａ，２Ｂを用いた例が示されている。このような場合の被覆材のシール形態も、前述のように、いろいろなバリエーションをとることが出来る。
【００３２】
植物由来の素材の粉砕物を７０重量％以上含んでいることが好ましく、８０重量%以上含んでいることが更に好ましい。
【００３３】
以上、本発明をその好ましい実施形態に基づき説明したが、本発明は上述した実施形態に制限されず適宜変更可能である。
【００３４】
例えば、上述した第５実施形態のペット用吸収体１Ｅは、第１実施形態における被覆材３に、開口部３２に代えて、ミシン目４（開封手段）が設けたものであったが、第２〜第４実施形態のペット用吸収体における被覆材３に、開口部３２に代えて、ミシン目４（開封手段）が設けることもできる。開口部３２は、図示したものは、平面視円形のものであったが、楕円形、三角形、四角形等、他の形状とすることもできる。
【００３５】
上述した実施形態に関し、さらに以下のペット用吸収体及びペット用トイレを開示する。
＜１＞
植物由来の素材の粉砕物からなる板状の尿吸収マットと、該尿吸収マットを被覆する液不透過性の材料からなる被覆材とからなる板状のペット用吸収体であって、
前記被覆材は、ペット用吸収体の一方の面に、液透過のための複数の開口部を有し、該ペット用吸収体の他方の面には、開口部を有していない、ペット用吸収体。
＜２＞
前記被覆材は、ペット用吸収体の前記一方の面に、前記開口部が分散配置された開口領域を有し、該開口領域における開口部の面積率が３０％以上である、＜１＞に記載のペット用吸収体。
＜３＞
前記開口部の面積率が、４０％以上であり、更に好ましくは５０％以上である、＜２＞に記載のペット用吸収体。
＜４＞
前記被覆材は、ペット用吸収体の前記一方の面に、前記開口部が分散配置された開口領域を有し、該開口領域の面積は、ペット用吸収体を平面視した時の前記尿吸収マットの面積に対して５０％以上であり、好ましくは６０％以上であり、更に好ましくは７０％以上である、＜１＞〜＜３＞の何れか１に記載のペット用吸収体。
＜５＞
前記開口領域の外方には、前記尿吸収マットの周縁端から内方に向かって延在する前記被覆材からなる所定幅の領域が形成されている、＜１＞〜＜４＞の何れか１に記載のペット用吸収体。
＜６＞
所定幅の領域の幅が５ｍｍ以上である、＜１＞〜＜５＞の何れか１に記載のペット用吸収体。
＜７＞
前記開口部は、実質的に円形であり、該円の直径は好ましくは１ｍｍ以上、より好ましくは２ｍｍ以上、更に好ましくは３ｍｍ以上であり、好ましくは１０ｍｍ以下、より好ましくは７ｍｍ以下、更に好ましくは５ｍｍ以下であり、例えば、好ましくは１ｍｍ以上１０ｍｍ以下、より好ましくは２ｍｍ以上７ｍｍ以下、更に好ましくは３ｍｍ以上５ｍｍ以下である、＜１＞〜＜６＞の何れか１に記載のペット用吸収体。
＜８＞
前記被覆材は、ペット用吸収体の前記一方の面を形成する部分が、接触角が６０°以上の撥水性の材料からなる、＜１＞〜＜７＞の何れか１に記載のペット用吸収体。
＜９＞
前記被覆材は、ペット用吸収体の前記一方の面を形成する部分が、接触角が７０°以上の撥水性の材料からなる、＜８＞に記載のペット用吸収体。
【００３６】
＜１０＞
植物由来の素材の粉砕物からなる板状の尿吸収マットと、該尿吸収マットを被覆する液不透過性の材料からなる被覆材とからなる板状のペット用吸収体であって、
前記被覆材に、ペット用吸収体の一方の面に、前記尿吸収マット上に開口する開口部を形成するための開封手段が設けられている、ペット用吸収体。
＜１１＞
前記開封手段がミシン目である、＜１０＞に記載のペット用吸収体。
＜１２＞
前記開封手段は、ペット用吸収体の前記一方の面に、前記尿吸収マットの平面積（平面視したときの面積）の５０％以上の面積の開口部を生じるように設けられている、＜１０＞又は＜１１＞に記載のペット用吸収体。
＜１３＞
前記開封手段による開封によって生じる開口部の面積が、ペット用吸収体の平面積（平面視したときの面積）に対して、６０％以上、好ましくは７０％以上である＜１２＞に記載のペット用吸収体。
＜１４＞
前記開封手段は、前記尿吸収マットの周縁端から内方に向かって延在する前記被覆材からなる環状の領域が形成されるように設けられている、＜１０＞〜＜１３＞の何れか１に記載のペット用吸収体
＜１５＞
前記開封手段は、前記尿吸収マットの周縁端から内方に向かって延在する前記被覆材からなる所定幅の領域が形成されるように設けられている、＜１０＞〜＜１４＞の何れか１に記載のペット用吸収体
＜１６＞
前記所定幅の領域の幅が５ｍｍ以上である、＜１５＞に記載のペット用吸収体。
【００３７】
＜１７＞
前記被覆材を構成する液不透過性の材料が、合成樹脂からなる樹脂製シートである、
＜１＞〜＜１６＞の何れか１に記載のペット用吸収体。
＜１８＞
前記一方の面が、鉛直方向の上方に向けられて使用される、＜１＞〜＜１７＞の何れか１に記載のペット用吸収体。
＜１９＞
前記被覆材は、筒状の不透過性の材料からなり、尿吸収マットの長手方向の両端それぞれの外方にシール部が形成されている、＜１＞〜＜１８＞の何れか１に記載のペット用吸収体。
＜２０＞
前記被覆材は、１枚の不透過性の材料からなり、該樹脂フィルムにおける、尿吸収マットに巻きつけられて重ねられた両側部及び尿吸収マットの長手方向Ｘの両端から延出する部分をシールすることで、尿吸収マットを、内部に保持した状態に被覆している、＜１＞〜＜１９＞の何れか１に記載のペット用吸収体。
＜２１＞
前記被覆材は、１枚の不透過性の材料を２つ折りしたものであり、尿吸収マットを、２つ折りした不透過性の材料間に挟んだ状態で３方向をシールすることで、尿吸収マットを、内部に保持した状態に被覆している、＜１＞〜＜２０＞の何れか１に記載のペット用吸収体。
＜２２＞
前記被覆材は２枚の不透過性の材料からなり、尿吸収マットを２枚の不透過性の材料に挟んだ状態で４方向をシールすることで、尿吸収マットを、内部に保持した状態に被覆している、＜１＞〜＜１８＞の何れか１に記載のペット用吸収体。
。
＜２３＞
前記尿吸収マットは、厚みが３ｍｍ以上５０ｍｍ以下、好ましくは５ｍｍ以上３０ｍｍ以下、更に好ましくは９ｍｍ以上２０ｍｍ以下である、＜１＞〜＜２２＞の何れか１に記載のペット用吸収体。
＜２４＞
前記尿吸収マットは、植物由来の素材の粉砕物を７０重量％以上含み、厚みが３ｍｍ以上５０ｍｍ以下で、密度が０．２ｇ／ｃｍ3以上０．４ｇ／ｃｍ3以下である、＜１＞〜＜２３＞の何れか１に記載のペット用吸収体。
＜２５＞
前記尿吸収マットに、植物由来の素材の粉砕物の２０重量％以下の吸水性樹脂が混合されている、＜１＞〜＜２４＞の何れか１に記載のペット用吸収体。
＜２６＞
トイレ本体、及び該トイレ本体を上層部分と下層部分とに区画する仕切部材を備え、該上層部分に便床を形成する粒状物を収容すると共に該下層部分に尿吸収体を収容して使用されるペット用トイレの前記尿吸収体として用いられる、＜１＞〜＜２５＞の何れか１に記載のペット用吸収体。
【００３８】
＜２７＞
トイレ本体、及び該トイレ本体を上層部分と下層部分とに区画する仕切部材を備え、該上層部分に便床を形成する粒状物を収容すると共に該下層部分に尿吸収体を収容してなるペット用トイレであって、
前記トレーに、前記尿吸収体として、＜１＞〜＜２６＞の何れか１に記載のペット用吸収体が、前記開口部を有する面側又は前記開封手段により開口部を形成した面側を、前記仕切部材側に向けて収容したペット用トイレ。
【符号の説明】
【００３９】
１，１Ａ〜１Ｅ  ペット用吸収体
２，２Ａ，２Ｂ  尿吸収マット
３  被覆材
４  ミシン目（開封手段）
３１  一方の面（使用時に鉛直方向の上方に向けられる面）
３２  開口部
３３  他方の面（使用時に鉛直方向の下方に向けられる面）
３４，３５  シール部
３６  開口領域
３７  開口部
【図１】
2015029495.tif 000003
【図２】
2015029495.tif 000004
【図３】
2015029495.tif 000005
【図４】
2015029495.tif 000006
【図５】
2015029495.tif 000007
【図６】
2015029495.tif 000008
【図７】
2015029495.tif 000009